(57)【要約】【課題】ＩＤカードの発行手間を簡易化し、使い勝手が良いカード利用システムを実現する。【解決手段】ロッカー装置１を利用してクリーニング仕上がり品の授受を行う。制御装置１０はカードリーダ２ｂで会員カードのデータを読み取らせてロッカー装置１の解錠を行う。利用者は利用契約時に、会員番号と利用者情報を暗号化たパスワードとを記載した登録票と、会員カードを受け取る。会員カードのカードＩＤは全カードに重複しない連番のＩＤデータとする。管理者は制御装置１０に利用者情報を登録する。利用者が登録票のパスワードにより会員カードの登録を行う。制御装置１０は、パスワードを復号化し会員番号等の確認を行う。会員カードのカードＩＤをカードリーダ２ｂで読み取らせ、会員カードの登録を完了する。会員カードの紛失時、新たな会員カードと手持ちの登録票のパスワードにより新たに会員カードを登録する。紛失した会員カードは無効にする。【選択図】図１
2008033876.tif 000002
【特許請求の範囲】
【請求項１】
各々異なるカードＩＤを記録した複数の生カードと、カードに記録されたカードＩＤを読み取るとともにパスワードの入力を受け付ける制御手段とを用い、
任意の生カードを利用者に発行する生カード発行工程と、
前記利用者の情報に対応するパスワードを発行するパスワード発行工程と、
前記制御手段に対して前記発行したパスワードに対応する利用者の情報を記憶する制御手段設定工程と、
前記制御手段により、生カードからカードＩＤを読み取るとともに、該カードＩＤの読み取りに対応して入力されたパスワードから、該パスワードに対応する利用者の情報を記憶している利用者の情報に基づいて認証し、認証された場合に該読み取ったカードＩＤと該利用者の情報とを対応付けて記憶することにより、該生カードをＩＤカードとして登録する登録工程と、
を備えたことを特徴とするＩＤカードの登録方法。
【請求項２】
請求項１に記載のＩＤカードの登録方法を利用した利用者認証方法であって、
前記ＩＤカードの登録方法により前記ＩＤカードを登録し、
前記制御手段によりＩＤカードから読み取ったカードＩＤから対応する利用者の情報を特定し、該利用者の情報により前記利用者を認証する
ことを特徴とする利用者認証方法。
【発明の詳細な説明】
【技術分野】
【０００１】
本発明は、例えばロッカー装置及びロッカーシステムなどを利用するのに使用するＩＤカードを登録するためのＩＤカードの登録方法及び利用者認証方法に関する。
【背景技術】
【０００２】
従来、カードを利用したロッカー装置として、例えば特開平７−６５２３１号公報（特許文献１）、特開２０００−２２５０５２号公報（特許文献２）に開示されたものがある。特許文献１のものは、受付機とロッカー部からなるロッカー装置を無人店舗に設置し、受付機によりロッカー部の施錠と解錠を制御するものであり、クリーニング業者に洗濯物を預けるときは、受付機に会員カードを挿入し、タッチパネルで預りを選択すると洗濯物投入口が自動解錠され、この物品投入口から洗濯物を投入し、受付伝票を受けとるものである。また、仕上がった洗濯物を受け取るときは、タッチパネルで引渡しを選択すると、ロッカー部の引渡すべき洗濯物が収納されたロッカーが自動解錠され、このロッカーから洗濯物を受けとるものである。
【０００３】
特許文献２のものは、入力操作部とコントロール部を有するロッカー装置をマンションのエントランスホールに設置したものであり、コントロール部によりロッカー装置の施錠と解錠を制御して、宅配荷物やクリーニング衣料等の授受に使用するものである。そして、入力操作部で登録カードを使用することにより、ＩＤコードを認証して解錠するものである。
【特許文献１】特開平７−６５２３１号公報
【特許文献２】特開２０００−２２５０５２号公報
【発明の開示】
【発明が解決しようとする課題】
【０００４】
ところで、ＩＤカードの識別コードにより利用者を認証して各種の取引や手続き等を行うようなカード利用システムでは、カードを発行して登録する際に、利用者の個人情報を確認したり、登録したＩＤカードを郵送することで住居の確認等を行うのが一般的であり、ＩＤカードの登録、再登録等の手間が煩雑である。特にＩＤカードを紛失した場合など、登録取消の手続きや、再発行の手続きを行う必要があり、手続きが煩雑で時間がかかるものである。
【０００５】
本発明は、ＩＤカードの発行手間を簡易化し、ＩＤカードを無人の装置で発行できるなど、使い勝手が良いカード利用システムを実現することを課題とする。
【課題を解決するための手段】
【０００６】
請求項１のＩＤカードの登録方法は、各々異なるカードＩＤを記録した複数の生カードと、カードに記録されたカードＩＤを読み取るとともにパスワードの入力を受け付ける制御手段とを用い、任意の生カードを利用者に発行する生カード発行工程と、前記利用者の情報に対応するパスワードを発行するパスワード発行工程と、前記制御手段に対して前記発行したパスワードに対応する利用者の情報を記憶する制御手段設定工程と、前記制御手段により、生カードからカードＩＤを読み取るとともに、該カードＩＤの読み取りに対応して入力されたパスワードから、該パスワードに対応する利用者の情報を記憶している利用者の情報に基づいて認証し、認証された場合に該読み取ったカードＩＤと該利用者の情報とを対応付けて記憶することにより、該生カードをＩＤカードとして登録する登録工程と、を備えたことを特徴とする。
【０００７】
請求項２の利用者認証方法は、請求項１に記載のＩＤカードの登録方法を利用した利用者認証方法であって、前記ＩＤカードの登録方法により前記ＩＤカードを登録し、前記制御手段によりＩＤカードから読み取ったカードＩＤから対応する利用者の情報を特定し、該利用者の情報により前記利用者を認証することを特徴とする。
【発明の効果】
【０００８】
請求項１によれば、利用者がパスワードを（例えば登録票などにより）記憶していれば、登録したＩＤカードを紛失しても、前記生カード発行工程と登録工程を経るだけで、新たなＩＤカードの登録が完了する。すなわち、ＩＤカードの紛失時に、再度パスワードを発行するような工程、すなわち再度利用者を確認したりする工程を必要としないので、ＩＤカードの発行手間が簡易化され、ＩＤカードを無人の装置で発行できるなど、きわめて使い勝手が良いカード利用システムとなる。
【０００９】
また、カード発行工程は、例えば管理センターなどの窓口で利用者に生カードを渡すだけでよい。このとき利用者に渡す生カードは１枚とは限らす２、３枚渡してもよい。これにより、ＩＤカードの紛失時に、別の生カードをＩＤカードとして登録すればよいので、生カード発行工程を省略することができる。なお、ＩＤカードは１つのパスワードと１対１で登録されるので、複数の生カードを利用者に発行しても、同じ複数のＩＤカードを登録することはできないので、不正使用等も防止できる。
【００１０】
請求項２によれば、前記のＩＤカードの登録方法の効果により、利用しやすい各種のカード利用システムを実現し、広く普及できる。
【発明を実施するための最良の形態】
【００１１】
次に、本発明の実施形態を図面を参照して説明する。図１は実施形態のＩＤカードの登録方法及び利用者認証方法を適用したハンガー付きロッカーシステムの外観正面図である。このロッカーシステムは、３台のハンガー付きロッカー装置１，１，１、操作部２、収納部３，回収ボックス４を備えている。ハンガー付きロッカー装置１（以下、単に「ロッカー装置」ともいう。）は縦長のロッカーボックス１ａとその前面に取り付けられた扉１ｂを備えており、扉１ｂには確認ＬＥＤ１ｃが配設されている。操作部２にはタッチパネル付きＬＣＤ表示器２ａと、磁気カードからデータを読み取るカードリーダ２ｂが配設されている。
【００１２】
また、収納部３にはレシートを発行するためのプリンタ３ａとバーコードリーダ３ｂが収納されるとともに、収納部錠３１が配設されている。回収ボックス４はロッカーボックス４ａとその前面上部に取り付けられた預入扉４ｂ及び前面下部に取り付けられた回収扉４ｃを備えており、預入扉４ｂには確認ＬＥＤ４ｄが配設されている。また、各ロッカー装置１の扉１ｂの内側には電気扉錠１１が取り付けられ、回収ボックス４の預入扉４ｂの内側には電気扉錠４１が取り付けられている。なお、回収扉４ｃには回収扉錠４２が取り付けられている。そして、これらの電気扉錠１１，４１及び回収扉錠４２により扉１ｂ、預入扉４ｂ及び回収扉４ｃの開閉が規制される。また、操作部２の内部には該ロッカーシステムを制御する制御装置１０が搭載されている。
【００１３】
図２は実施形態のロッカー装置１の側断面図（図１のＡ−Ａ矢視断面図）、図３は図２の要部拡大図、図４はロッカー装置１の拡大平断面図（図３のＢ−Ｂ矢視断面図）である。ロッカーボックス１ａ内の上部収納空間Ｓは扉１ｂの幅に相当する幅Ｗ（図４参照）を有しており、この上部収納空間Ｓの後方隅には幅Ｗにわたって錠ボックス２１（図２参照）が取り付けられている。錠ボックス２１の下面には、複数の仕切フレーム１２，１２，…が取り付けられている。仕切フレーム１２は左右に垂下された仕切板１２ａ，１２ａを有しており、各仕切フレーム１２，１２，…の仕切板１２ａ，１２ａ，…は、上部収納空間Ｓの幅Ｗを複数の区画１Ａ，１Ａ，…に仕切っている。なお、図４に示すように、この実施形態では区画１Ａ，１Ａ，…は１０区画としている。また、図３に示すように各仕切板１２ａの前方下端には円弧状の切欠き１２ａ１が形成されており、この切欠き１２ａ１に当接するように、上部収納空間Ｓの幅Ｗにわたって係止パイプとしてのハンガーパイプ１３が配設されている。これにより、ハンガーパイプ１３は、少なくとも各区画１Ａ，１Ａ，…内に配置されるとともに、仕切板１２ａ，１２ａに連結されている。
【００１４】
各区画１Ａ，１Ａ，…の構造は同じであり、以下、１つの区画１Ａについて説明する。錠ボックス２１の前方下端には段部２１ａが形成されており、仕切板１２ａの上端の凸片１２ａ２が段部２１ａ内に配置されている。また、区画１Ａにはカバー１４が配設されており、このカバー１４の両側の側板１４ａ，１４ａの間隔は該区画１Ａにおける仕切板１２ａ，１２ａの間隔より僅かに広くなっている。そして、カバー１４は、側板１４ａ，１４ａ内に仕切板１２ａ，１２ａを嵌合することにより、仕切板１２ａ，１２ａの凸片１２ａ２，１２ａ２において軸Ｏで回動自在に軸支されている。これにより、カバー１４は、各区画１Ａ，１Ａ，…毎にハンガーパイプ１３を上方から覆うように隣接及び離間可能に設けられている。
【００１５】
カバー１４の内側には後方に延びる係合板１４ｂが取り付けられており、この係合板１４ｂの後端側はＬ型に曲げられ、このＬ型の部分に開口１４１を形成することにより、該係合板１４ｂの後端部に係合ロッド１４２が形成されている。また、仕切フレーム１２及び錠ボックス２１には係合ロッド１４２に対応する部分に切り溝１２１，２１１が形成されており、カバー１４が図３において時計回りに回動するとき、係合ロッド１４２が切り溝１２１，２１１内に没入する。
【００１６】
錠ボックス２１内には各区画１Ａ，１Ａ，…毎にそれぞれ「係止部用電気錠」としての電気カバー錠１５が配設されている。電気カバー錠１５はケース１５１を本体とし、このケース１５１は前方に突出する取付け座１５１ａと後方に突出する取付け座１５１ｂにおいて、図示しない基板を介して錠ボックス２１に取り付けられている。ケース１５１には、ラッチ１５２が支軸１５２ａにより回動自在に支持され、施錠レバー１５３が支軸１５３ｄにより回動自在に支持されている。また、ケース１５１の上部にはロック用ソレノイド１５５が取り付けられている。さらに、ケース１５１には、仕切フレーム１２の切り溝１２１及び錠ボックス２１の切り溝２１１に対応する位置に、カバー１４の係合ロッド１４２の挿入を妨げない凹部１５１ｃが形成されている。
【００１７】
ラッチ１５２は、外周面に開口する係合切欠１５２ｂと、外周面に形成される係合段部１５２ｃとを有している。また、ラッチ１５２の近傍にスプリング１５２ｄが配設されており、このスプリング１５２ｄにより、ラッチ１５２は図３に実線で示す解錠位置と二点鎖線で示す施錠位置に付勢され、解錠位置では係合切欠１５２ｂが凹部１５１ｃに開口した位置に安定する。また、施錠レバー１５３は、ラッチ１５２側に延びる施錠アーム１５３ａとソレノイド１５５のプランジャ１５５ａに係合される駆動アーム１５３ｂを有している。なお、電気カバー錠１５には確認ＬＥＤ１５ａが配設されている。
【００１８】
以上の構成により、電気カバー錠１５が施錠されているときは、ソレノイド１５５のプランジャ１５５ａが没入側に移動しており、図３に二点鎖線で示すように、施錠レバー１５３は支軸１５３ｄを支点として反時計方向に回動した位置にあり、施錠アーム１５３ａがラッチ１５２の係合段部１５２ｃに係合しているので、ラッチ１５２を施錠角度に拘束している。これにより、カバー１４の係合ロッド１４２は、ラッチ１５２の係合切欠１５２ｂに拘束され、回動することができず、カバー１４とハンガーパイプ１３との間にハンガーＨが拘束される。
【００１９】
制御装置１０の制御により解錠されるときは、解錠信号により確認ＬＥＤ１５ａが点灯するとともにソレノイド１５５が作動し、プランジャ１５５ａが突出方向に移動し、施錠レバー１５３が支軸１５３ｄを支点として時計方向に回動する。これにより、施錠レバー１５３の施錠アーム１５３ａとラッチ１５２の係合段部１５２ｃとの係合が解除され、ラッチ１５２は回動可能になる。そこで、人が手でカバー１４を上に上げると、係合ロッド１４２がラッチ１５２の係合切欠１５２ｂの内面を押し、ラッチ１５２はスプリング１５２ｄの付勢力により支軸１５２ａを支点として時計方向に回動し、係合切欠１５２ｂの開口が凹部１５１ｃと一致する解錠角度になる。これにより、係合ロッド１４２が電気カバー錠１５から解放される。
【００２０】
また、カバー１４をハンガーパイプ１３側に押し下げると、係合ロッド１４２がラッチ１５２の係合切欠１５２ｂの内面１５２ｅを押し、ラッチ１５２が支軸１５２ａを支点として反時計方向に回動し、ラッチ１５２により施錠確認用リミットスイッチ１６が押され、カバー１４が閉じられたことが制御装置１０に伝えられる。これにより、制御装置１０の制御によりソレノイド１５５のプランジャ１５５ａが没入側に移動し、施錠レバー１５３の施錠アーム１５３ａがラッチ１５２の係合段部１５２ｃに係合し、前記の施錠状態となる。
【００２１】
なお、錠ボックス２１の手前側には、非常解錠扉２１２とこの非常解錠扉２１２を施錠するシリンダ錠２１３が取り付けられている。これにより、停電時などソレノイド１５５が駆動不能とたったとき、シリンダ錠２１３をマスタキーで解錠し、非常解錠扉２１２を空けて、施錠レバー１５３の上端部を手前に引くことにより、ラッチ１５２を解錠方向に回動可能とすることができる。
【００２２】
以上説明した各区画１Ａ，１Ａ，…におけるハンガーパイプ１３、カバー１４及び電気カバー錠１５等で構成される各区画毎のユニットを、以下「ハンガーロック」ともいう。なお、ロッカーボックス１ａ内の扉１ｂの近傍に設けられた電気扉錠１１も、上記電動カバー錠１５と同様な構成であるので、詳細な説明は省略するが、扉１ｂに設けられた係合ロッドを電気扉錠１１のラッチとソレノイドにより、扉１ｂの解錠状態及び施錠状態を実現している。
【００２３】
図５は実施形態のロッカーシステムの要部ブロック図である。制御装置１０はマイクロコンピュータで構成された制御ユニット１０Ａを備えており、制御ユニット１０Ａはメモリ１０Ｂを備えている。また、制御ユニット１０Ａには、ＬＣＤ表示器２ａ、カードリーダ２ｂ、プリンタ３ａ、バーコードリーダ３ｂ、各ロッカー装置１の電気扉錠１１及び電気カバー錠１５、回収ボックス４の電気扉錠４１が図示しないインターフェースを介してそれぞれ接続されている。電気扉錠１１，４１及び電気カバー錠１５には、図示しない基板を介して確認ＬＥＤ１ｃ，４ｄ，１５ａ、扉開閉スイッチ１１ａ，４１ａ，１６が接続されている。そして、制御ユニット１０Ａは、ＬＣＤ表示器２ａへの表示データの出力と操作状態の検出を行い、プリンタ３ａへの印字データの出力を行い、さらに、カードリーダ２ｂからのデータの入力状態を検出する。また、制御ユニット１０Ａは、電気錠１１，４１及び電気カバー錠１５の解錠及び施錠の制御を行うとともに、扉開閉スイッチ１１ａ，４１ａ，１６の操作状態を検出し、確認ＬＥＤ１ｃ，４ｄ，１５ａの駆動制御を行う。
【００２４】
図６〜図９は操作部２のＬＣＤ表示器２ａに表示される表示例であり、同図を参照しながら、実施形態のロッカーシステムの一運用形態について説明する。このロッカーシステムはマンション（集合住宅）等に設置されるものであり、マンション管理人は特定の管理者識別コードを磁気記録した管理者カードを所持し、クリーニング業者は業者に特定の業者識別コードを磁気記録した業者カードを所持しする。また、利用者はカードＩＤを磁気記録した会員カードを所持する。この会員カードのカードＩＤは全カードに重複しない連番のＩＤデータであり、後述のように、利用者は利用に先だって登録票に基づいて前記操作部２において会員カードの登録を行う。なお、このロッカーシステムで利用者が洗濯物を預け入れるとき、所定のバッグに洗濯物を入れて、そのバッグごと預け入れる。また、このバッグには利用者の情報（マンションコード番号、住戸番号、会員番号）がバーコードで記されている。また、この利用者の情報は、クリーニング済みの仕上がり品を包装するクリーニングカバーにもバーコードとして記される。
【００２５】
利用者は例えば業者側の管理センター等において利用契約を行う。この際、利用者に対応するマンションに特有の物件コード（４桁）、会員番号（８桁）、発行日（６桁：ｙｙｍｍｄｄ）を並べた文字列を用い、この文字列を決められた法則により暗号化して１６桁のパスワードを生成する。そして、会員番号とパスワードを記載した登録票を発行する。利用者はこの登録票と、前記連番のカードＩＤが磁気記録（エンコード）された会員カードとをその場で受け取るか、例えば郵送により受け取る。
【００２６】
一方、ロッカーシステムにおいては、管理会社の管理者の操作により、操作部２から所定の事前登録作業（制御手段設定工程）を行う。この事前登録作業では、当該ロッカーシステムを設置しているマンションに特定のマンションコード番号、そのマンションの各住戸番号、管理者カードの管理者識別コード、及び業者カードの業者識別コードを登録する。
【００２７】
（登録操作）利用者による登録操作は次のように行う。操作部２のＬＣＤ表示器２ａには図６(A) の初期画面が表示されている。利用者がこのＬＣＤ表示器２ａの操作画面で「登録・停止」を選択して登録モードにすると図６(B) の画面が表示されれる。次に「カードを登録する」を選択すると図７(A) の登録画面が表示される。そこで、前記登録票に記載されている１６桁のパスワードと、自分の住戸番号を入力する。制御装置１０は、入力されたパスワードを復号化し、物件コードの照合、住戸番号の照合、会員番号の認識及び発行日の確認を行う。これにより、図７(B) のガイダンスが表示されるので、操作画面の指示にしたがって、利用者は会員カードをカードリーダ２ｂでスライドさせる。以上の操作により、制御装置１０は会員カードからカードＩＤを読み取り、復号化した会員番号と読み取ったカードＩＤ及び住戸番号とを対応付けてメモリに記憶し、会員カードの登録が完了する。なお、登録が完了すると「登録完了しました」のガイダンスが表示され、一定時間経過すると図６(A) の初期画面に変わる。この例では、会員番号と住戸番号が「パスワードに対応する利用者の情報」に対応する。
【００２８】
（預入操作）利用者による預入操作は次のようにする。利用者は図６(A) の操作画面（初期画面）で「スタート」を選択すると、図６(C) のガイダンスが表示される。利用者は、表示の指示に従って会員カードをカードリーダ２ｂでスライドさせる。これにより、図８(A) の利用者画面が表示される。利用者は操作画面で「依頼」を選択すると図８(B) のガイダンスが表示され、預入扉４ｂの確認ＬＥＤ４ｄが点灯するとともに、電気扉錠４１が解錠される。そして、預入扉４ｂを開けて、バッグを回収ボックス４内に投入し、預入扉４ｂを閉じると電気錠４１が自動施錠され、図８(C) が表示されて受付レシートが発行される。なお、その後、一定時間経過すると図６(A) の初期画面に変わる。
【００２９】
（回収操作）業者による回収操作は次のようにする。業者は図６(A) の操作画面（初期画面）で「スタート」を選択すると、図６(C) のガイダンスが表示される。業者は、表示の指示に従って業者カードをカードリーダ２ｂでスライドさせる。これにより図９(A) の業者画面が表示される。業者は操作画面で「回収」を選択すると図９(B) のガイダンスが表示されるので、表示に従って回収扉４ｃの扉錠４２を専用鍵により解錠し、回収ボックス４内の全ての依頼品を取り出す。「完了」を選択すると図９(C) のガイダンスが表示されるので、表示に従って収納部３の収納部錠３１を専用鍵により解錠し、収納部３を開けてプリンタ３ａの準備をする。そして、表示の「印刷」を選択すると、預け入れられていた依頼品の利用者の情報（預入操作で読み取った会員カードの情報）を印刷したレシートがプリンタ３ａでプリントアウトされ、図９(D) のガイダンスが表示される。そして、レシートで依頼品の確認をし、「完了」を選択すると図９(E) のガイダンスが表示され、扉錠４２及び収納部錠３１の施錠を確認して作業を終了する。
【００３０】
（返却操作）業者による洗濯物の返却操作は次のようにする。業者は操作画面（初期画面）で「スタート」を選択し、図６(C) の表示の指示に従って業者カードをカードリーダ２ｂでスライドさせる。図９(A) の操作画面で「返却」を選択すると図９(F) のガイダンスが表示され、ロッカー装置１の電気扉錠１１が解錠される。ロッカー装置１の扉１ｂを開けると、そのロッカー装置１内の返却可能はハンガーロックの電気カバー錠１５が解錠されるとともに確認ＬＥＤ１５ａが点灯される。そこで返却品のクリーニングカバーを仮置き用のスライドハンガーに掛け、作業が終了して「完了」を選択すると、図９(G) のガイダンスが表示される。
【００３１】
次にガイダンスの表示に従って納部錠３１を専用鍵により解錠し、収納部３を開けてバーコードリーダ３ｂを準備する。そして、返却品のクリーニングカバーに記されているバーコードをバーコードリーダ３ｂで読み取り、確認ＬＥＤ１５ａが点灯しているハンガーロックのカバー１４を上げて、クリーニングカバーのハンガーをハンガーパイプ１３に掛ける。そして、カバー１４を閉じる（下げる）と電気カバー錠１５が自動施錠されて確認ＬＥＤ１５が消灯する。この操作を全ての返却品（クリーニングカバー）について行う。この一連の操作により、制御装置１０では、各返却品についてバーコードで読み取った会員番号及び住戸番号、料金、及びハンガーロックの位置がそれぞれ対応付けられてメモリに記憶される。全ての返却を終了するとロッカー装置１の扉１ｂを閉めると、電気扉錠１１が自動施錠されて確認ＬＥＤ１ｃが消灯する。
【００３２】
次に、図９(G) の操作画面で「完了」を選択すると、図９(H) のガイダンスが表示されるので、表示に従って収納部３の収納部錠３１を専用鍵により解錠し、収納部３を開けてプリンタ３ａの準備をする。そして、表示の「印刷」を選択すると、プリンタ３ａで返却リストを印字したレシートがプリントアウトされ、図９(I) のガイダンスが表示され、納部錠３１の施錠を確認して作業を終了する。
【００３３】
（受け取り操作）利用者が仕上がり品を受け取るときは次のようにする。利用者は操作画面（初期画面）で「スタート」を選択して会員カードをカードリーダ２ｂでスライドさせ、図８(A) の利用者画面で「受け取り」を選択する。これにより、図８(D) のように操作画面に住戸番号、仕上がり数、料金が表示されるとともに、現在の依頼状態が表示される。この依頼状態としては、回収待ちの件数、作業中の件数、仕上がり品の点数が表示される。仕上がり品がある場合は「仕上がり品を取り出す」を選択すると図８(F) のガイダンスが表示され、仕上がり品が収納されているロッカー装置１の電気扉錠１１が解錠されるとともに、確認ＬＥＤ１ｃが点灯する。次に、そのロッカー装置１の扉１ｂを開けると、仕上がり品が掛けられているハンガーロックの電気カバー錠１５が解錠されるとともに確認ＬＥＤ１５ａが点灯する。そして、仕上がり品をハンガーごと取り出すと、カバー１４が閉じて電気カバー錠１５が自動施錠され、扉１ｂを閉めると電気扉錠１１が自動施錠される。なお、保管期限を越えた仕上がり品がある場合には、操作画面に図８(E) のようなガイダンスが表示される。
【００３４】
（期限切れ回収）業者が期限切れの仕上がり品を回収するときは、業者カードのスライド後の図９(A) の操作画面で「期限切れ回収」を選択する。これにより、受け取り期限を過ぎた保管中の仕上がり品に対応する住戸番号（リスト）が表示され、住戸番号を選択すると、「…月…日の返却分です」の表示が行われるとともに、該当するロッカー装置１の解錠と確認ＬＥＤ１ｃの点灯が行われる。扉１ｂを開けると該当するハンガーロックの解錠と確認ＬＥＤ１５ａが点灯が行われる。そして、仕上がり品を取り出して扉１ｂを閉める。これにより、期限切れの回収品についての情報が制御装置１０に記憶され、前記図８(E) のガイダンスが行われる。
【００３５】
なお、受け取り時に不用意に扉１ｂが閉まってしまった場合や会員カードを紛失して開けられなくなった場合等は、管理センターに連絡して一度だけ使用可能な暗証番号を受領して、「登録・停止」から図６(B) の「暗証番号で取り出す」を選択し、その暗証番号を入力して開けることができる。この場合、暗証番号は管理センターのパーソナルコンピュータと制御装置１０の双方で同じアルゴリズムにより、日付、会員番号あるいは住戸番号からある番号を生成し、枝番号を付けて同じ番号を続けて発生しないように管理する。
【００３６】
また、この実施形態では、会員カードのカードＩＤはそれぞれユニークな連番であり、会員カードの登録には、登録票に印字されているパスワードに対応する利用者を情報である会員番号及び住戸番号と、そのカードＩＤとを対応付けることで、会員カードの登録を行っている。このため、会員カードを紛失した場合、管理センターから新たな会員カード（別のカードＩＤがエンコードされている）を受け取るだけで、手持ちの登録票のパスワードにより新たに会員カードを登録でき、紛失した会員カードは無効になる。したがって、新たな会員カードを手間なく何度でも発行することができる。また、予備のカードを事前に発行しておくことも可能となる。すなわちカードの発行手間が簡易化され、きわめて使い勝手が良くなる。このようなカードの発行及び登録の方式は、本発明のロッカー装置の利用のみならず、他のカード利用システムに適用できる。
【００３７】
図１０〜図１４は制御装置１０における制御ユニット１０Ａのコンピュータが実行する制御のフローチャートである。図１０のメイン処理では、ステップＳ１で初期画面を表示し、ステップＳ２で操作の有無を監視する。操作があればステップＳ３で操作内容を判定して、操作内容に応じてステップＳ４で図１１の登録・停止モード処理を行い、ステップＳ５で図１２のスタートモード処理を行う。り、なお、図示は省略するが、操作入力待機等の各ステップにおいて、操作などが一定時間検出されない場合はステップＳ１の初期画面に戻る。
【００３８】
図１１の登録・停止モード処理では、ステップＳ１１で図６(B) のように画面表示を更新し、ステップＳ１２で操作の有無を監視する。操作があればステップＳ１３で操作内容を判定する。登録・停止のときは、ステップＳ１４で図７(A) のように画面表示を更新するとともに、パスワードの入力処理を行う。次にステップＳ１５でパスワードを復号化するとともに図７(B) のように画面表示を更新する。そして、ステップＳ１６でカードの読み取りが有るのを監視し、カードが読み取られたらステップＳ１７で前記のようにカードＩＤ等の登録（記憶）を行って元のルーチンに復帰する。暗証番号の選択の場合には、ステップＳ１８で前述のように暗証番号による解錠処理を行って元のルーチンに復帰する。
【００３９】
図１２のスタートモード処理では、ステップＳ２１で図６(C) のように画面表示を更新し、ステップＳ２２でカードの読み取りが有るのを監視し、カードが読み取られたらステップＳ２３でカードの種類を判定する。会員カードならばステップＳ２４で図１３の利用者処理を行い、業者カードならばステップＳ２５で図１４の業者処理を行って元のルーチンに復帰する。
【００４０】
図１３の利用者処理では、ステップＳ３１で図８(A) のように画面表示を更新し、ステップＳ３２で操作の有無を監視する。操作があればステップＳ３３で操作内容を判定して、受け取りの操作であれば、ステップＳ３４〜Ｓ４１で図８(D) 〜(F) で説明した受け取り処理を行う。依頼の操作であれば、ステップＳ４２〜Ｓ４６で図８(B) ，(C) で説明した依頼の処理を行う。
【００４１】
ステップＳ３４では図８(D) の表示を行い、ステップＳ３５で「取り出す」の操作があれば、ステップＳ３６で仕上がり品のロッカー装置１の電気錠１１を解錠するとともに確認ＬＥＤ１ｃを点灯する。次にステップＳ３７で扉１ｂが開けられるのを監視し、扉１ｂが開けられたらステップＳ３８で仕上がり品のハンガーロックの電気カバー錠１５を解錠するとともに、確認ＬＥＤ１５ａを点灯する。そして、ステップＳ３９で図８(F) の表示を行い、ステップＳ４０でカバー１４が開閉されるのを監視する。カバー１４が開閉されたら、ステップＳ４１で電気カバー錠１５を施錠し、元のルーチンに復帰する。ステップＳ４２では、図８(B) の表示を行い、ステップＳ４３で預入扉４ｂの電気扉錠４１を解錠するとともに確認ＬＥＤ４ｄを点灯する。次に、ステップＳ４４で預入扉４ｂが閉じられるのを監視し、閉じられたらステップＳ４５で電気錠４１を施錠し、ステップＳ４６で図８(C) の表示を行って元のルーチンに復帰する。
【００４２】
図１４の業者処理では、ステップＳ５１で図９(A) のように画面表示を更新し、ステップＳ５２で操作の有無を監視する。操作があればステップＳ５３で操作内容を判定して、返却の操作であれば、ステップＳ５４〜Ｓ６６で図９(F) 〜(I) で説明した返却の処理を行う。回収の操作であれば、ステップＳ６７〜Ｓ７０で図９(B) 〜(E) で説明した回収の処理を行う。
【００４３】
ステップＳ５４では返却可能なロッカー装置（返却ボックス）の電気扉錠１１を解錠するとともに確認ＬＥＤ１ｃを点灯し、図９(F) の表示を行う。次に、ステップＳ５５で扉１ｂが開けられるのを監視する。扉１ｂが開けられたらステップＳ５６で返却可能なハンガーロックの電気カバー錠１５を解錠するとともに、確認ＬＥＤ１５ａを点灯する。次に、ステップＳ５７で図９(F) の完了処理及び図９(G) の表示を行い、ステップＳ５８でバーコードの読み取りが有るのを監視する。バーコードが読み取られたらステップＳ５９でカバー１４が開閉されるのを監視する。カバー１４が開閉されたら、ステップＳ６０で電気カバー錠１５を施錠し、ステップＳ６１でデータを更新する。このデータの更新は、バーコードで読み取った情報と当該ハンガーロックとを対応付ける処理等を行う。そして、ステップＳ６２で「完了」が選択されたかを判定し、「完了」が選択されるまでステップＳ５８以降の処理を繰り返す。「完了」が選択されれば、ステップＳ６３で図９(H) の表示を行い、ステップＳ６４で「印刷」が選択されるのを監視する。「印刷」が選択されたらステップＳ６５でレシートを印字し、ステップＳ６６で図９(I) に対応する表示と「完了」の操作に対応する処理を行って、「完了」が選択されたら元のルーチンに復帰する。
【００４４】
ステップＳ６７では図９(B) に対応する表示と「完了」の操作に対応する処理、及び図９(C) の表示を行う。次に、ステップＳ６８で「印刷」が選択されるのを監視する。「印刷」が選択されたらステップＳ６９でレシートを印字し、ステップＳ７０で図９(D) ，(E) に対応する表示と「完了」の操作に対応する処理を行って、「完了」が選択されたら元のルーチンに復帰する。
【００４５】
以上の実施形態では、電気カバー錠１５、カバー１４、仕切りフレーム１２及びハンガーパイプ１３により、各区画に対応する複数の「収納ユニット」を構成しているが、これに限らず、クリーニング仕上げ品のハンガーあるいはその他の係止用の部材を係止し、これをロックできるような構成であればよい。
【図面の簡単な説明】
【００４６】
【図１】本発明の実施形態を適用したハンガー付きロッカーシステムの外観正面図である。
【図２】実施形態のロッカー装置の側断面図である。
【図３】図２の要部拡大図である。
【図４】実施形態のロッカー装置の拡大平断面図である。
【図５】実施形態のロッカーシステムの要部ブロック図である。
【図６】実施形態における初期画面、登録・停止モード及びスタートモードの表示例である。
【図７】実施形態における登録時の表示例である。
【図８】実施形態における利用者処理時の表示例である。
【図９】実施形態における業者処理時の表示例である。
【図１０】実施形態におけるメイン処理のフローチャートである。
【図１１】実施形態における登録・停止処理のフローチャートである。
【図１２】実施形態におけるスタートモード処理のフローチャートである。
【図１３】実施形態における利用者処理のフローチャートである。
【図１４】実施形態における業者処理のフローチャートである。
【符号の説明】
【００４７】
１        ロッカー装置
２        操作部
２ａ      ＬＣＤ表示器
２ｂ      カードリーダ
３ａ      プリンタ
１０      制御装置
１０Ａ    制御ユニット１０Ａ
１０Ｂ    メモリ
【図１】
2008033876.tif 000003
【図２】
2008033876.tif 000004
【図３】
2008033876.tif 000005
【図４】
2008033876.tif 000006
【図５】
2008033876.tif 000007
【図６】
2008033876.tif 000008
【図７】
2008033876.tif 000009
【図８】
2008033876.tif 000010
【図９】
2008033876.tif 000011
【図１０】
2008033876.tif 000012
【図１１】
2008033876.tif 000013
【図１２】
2008033876.tif 000014
【図１３】
2008033876.tif 000015
【図１４】
2008033876.tif 000016